(57)【要約】【課題】窓額縁部材の外側に壁パネルが存在しない場合でも、窓額縁部材の周囲に隙間を発生させず、見栄えが良好な浴室窓構造を構築することができる浴室窓用窓額縁部材の化粧カバー及び浴室窓の施工方法を提供すること。【解決手段】浴室ユニット１の窓用開口部１３を構成する窓枠体１１、１２と建物躯体１００の外窓１０１との間が窓額縁部材７で接続され、窓額縁部材７に設けられた外周フランジ部７２が室内側から窓枠体１１、１２に固定される浴室窓構造において、外周フランジ部７２を覆うように取り付けられる浴室窓用窓額縁部材の化粧カバー９であって、外周フランジ部７２よりも幅広に形成されると共に、幅調整可能な構成を有する。【選択図】図３
2019039254.tif 000002
【特許請求の範囲】
【請求項１】
浴室ユニットの窓用開口部を構成する窓枠体と建物躯体の外窓との間が窓額縁部材で接続され、前記窓額縁部材に設けられた外周フランジ部が室内側から前記窓枠体に固定される浴室窓構造において、前記外周フランジ部を覆うように取り付けられる浴室窓用窓額縁部材の化粧カバーであって、
前記外周フランジ部よりも幅広に形成されると共に、幅調整可能な構成を有する、浴室窓用窓額縁部材の化粧カバー。
【請求項２】
化粧カバー本体と、前記化粧カバー本体から幅方向にはみ出す幅延長部とを有して前記外周フランジ部よりも幅広に形成され、
前記幅延長部に、前記化粧カバーの長さ方向に沿う複数の切断誘導部が、幅方向に間隔をおいて形成され、
前記幅延長部がいずれかの前記切断誘導部において切断されることによって幅調整可能な構成を有する、請求項１に記載の浴室窓用窓額縁部材の化粧カバー。
【請求項３】
前記幅延長部の裏面に、前記化粧カバーの長さ方向に沿う複数のリブが、幅方向に間隔をおいて形成され、
前記切断誘導部は、前記リブの付け根部である、請求項２に記載の浴室窓用窓額縁部材の化粧カバー。
【請求項４】
浴室ユニットの窓用開口部を構成する窓枠体と建物躯体の外窓との間を窓額縁部材で接続し、前記窓枠体に前記窓額縁部材に設けられた外周フランジ部を室内側から固定した後、前記外周フランジ部を覆うように化粧カバーを取り付ける浴室窓の施工方法であって、
前記化粧カバーとして請求項１〜３のいずれか１項に記載の浴室窓用窓額縁部材の化粧カバーを用い、
前記外周フランジ部に隣接する浴室内構造体と前記窓額縁部材との間の距離に応じて、前記化粧カバーの幅を調整し、
幅が調整された後の前記化粧カバーを、前記外周フランジ部に取り付ける、浴室窓の施工方法。
【請求項５】
前記窓額縁部材の前記外周フランジ部のうちの下部外周フランジ部を、前記窓枠体を構成する下部横枠体に対して位置合わせして固定し、
前記外周フランジ部のうちの上部外周フランジ部に隣接する前記浴室内構造体と前記窓額縁部材との間の距離に応じて、前記化粧カバーの幅を調整し、
幅が調整された後の前記化粧カバーを、前記上部外周フランジ部に取り付ける、請求項４に記載の浴室窓の施工方法。
【発明の詳細な説明】
【技術分野】
【０００１】
本発明は、浴室窓用窓額縁部材の化粧カバー及び浴室窓の施工方法に関する。
【背景技術】
【０００２】
建物躯体の外窓と内壁との間を接続するために窓額縁部材が使用されている（例えば特許文献１参照）。浴室ユニットにおいても、浴室窓を形成する際には、浴室ユニットと建物躯体の外窓との間が窓額縁部材を介して水密的に接続される。
【０００３】
一般に、窓額縁部材は外周フランジ部を有し、この外周フランジ部が、浴室内側から壁パネルにネジ止めされることによって取り付けられる。その後、ネジを隠して浴室内からの外周フランジ部の見栄えを良くするため、外周フランジ部に化粧カバーが取り付けられる。
【先行技術文献】
【特許文献】
【０００４】
【特許文献１】特許第３５４０２７１号公報
【発明の概要】
【発明が解決しようとする課題】
【０００５】
浴室ユニットに浴室窓を形成する際、窓額縁部材の位置に応じて、窓額縁部材の周囲の壁パネルの寸法が適宜調整される。これにより、窓額縁部材の周囲は寸法調整された壁パネルによって囲まれるため、浴室内側からの窓額縁部材の周囲の見栄えが悪くなることはない。しかし、例えば、浴室窓が浴室ユニットの壁面の上下端目一杯まで達するような大開口の浴室窓である場合、窓額縁部材の上下に壁パネルが存在しないため、壁パネルの寸法調整によって窓額縁部材の周囲の見栄えを良好に維持することができない場合がある。
【０００６】
この場合、窓額縁部材の外周フランジ部を浴室ユニットの窓用開口部を構成する窓枠体に直接固定することになるが、窓額縁部材の取り付け位置と浴室ユニットの窓枠体の位置とが完全に一致するとは限らず、位置ずれが発生する場合がある。このため、窓額縁部材の外周フランジ部とこの外周フランジ部に隣接する浴室内構造体（例えば天井パネル等）との間に隙間が発生し、窓枠体が露出することによって室内側からの見栄えを悪化させてしまう問題がある。
【０００７】
この隙間の大きさは、外窓と浴室ユニットの窓枠体との位置の誤差の程度によって一様ではないため、調整用の小サイズの壁パネル（石膏ボードや鋼板、タイル等）を設けることによって解消しようとすると、隙間の寸法に応じて壁パネルを現場で切断、調整しなくてはならず、施工に非常に時間が掛かってしまう問題がある。
【０００８】
上記の問題は、窓額縁部材の上下方向で発生するのみならず、窓額縁部材の左右方向でも同様に発生し得る。
【０００９】
そこで、本発明は、窓額縁部材を取り付ける壁面に壁パネルが存在しない場合でも、窓額縁部材の周囲に隙間を発生させず、見栄えが良好な浴室窓構造を構築することができる浴室窓用窓額縁部材の化粧カバーを提供することを目的とする。
また、本発明は、窓額縁部材を取り付ける壁面に壁パネルが存在しない場合でも、窓額縁部材の周囲に隙間を発生させず、見栄えを良好にすることができる浴室窓の施工方法を提供することを目的とする。
【課題を解決するための手段】
【００１０】
（１）  本発明に係る浴室窓用窓額縁部材の化粧カバーは、浴室ユニット（例えば、後述の浴室ユニット１）の窓用開口部（例えば、後述の窓用開口部１３）を構成する窓枠体（例えば、後述の上部横枠体１１、下部横枠体１２）と建物躯体（例えば、後述の建物躯体１００）の外窓（例えば、後述の外窓１０１）との間が窓額縁部材（例えば、後述の窓額縁部材７）で接続され、前記窓額縁部材に設けられた外周フランジ部（例えば、後述の外周フランジ部７２）が室内側から前記窓枠体に固定される浴室窓構造において、前記外周フランジ部を覆うように取り付けられる浴室窓用窓額縁部材の化粧カバー（例えば、後述の化粧カバー９）であって、前記外周フランジ部よりも幅広に形成されると共に、幅調整可能な構成を有するものである。
【００１１】
（２）  （１）に記載の浴室窓用窓額縁部材の化粧カバーにおいて、化粧カバー本体（例えば、後述の化粧カバー本体９１）と、前記化粧カバー本体から幅方向にはみ出す幅延長部（例えば、後述の幅延長部９２）とを有して前記外周フランジ部よりも幅広に形成され、前記幅延長部に、前記化粧カバーの長さ方向に沿う複数の切断誘導部（例えば、後述の切断誘導部９２１、９２２、９２３）が、幅方向に間隔をおいて形成され、前記幅延長部がいずれかの前記切断誘導部において切断されることによって幅調整可能な構成を有するものであってもよい。
【００１２】
（３）  （２）に記載の浴室窓用窓額縁部材の化粧カバーにおいて、前記幅延長部の裏面に、前記化粧カバーの長さ方向に沿う複数のリブ（例えば、後述のリブ９５、９６、９７）が、幅方向に間隔をおいて形成され、前記切断誘導部は、前記リブの付け根部であってもよい。
【００１３】
（４）  本発明に係る浴室窓の施工方法は、浴室ユニット（例えば、後述の浴室ユニット１）の窓用開口部（例えば、後述の窓用開口部１３）を構成する窓枠体（例えば、後述の上部横枠体１１、下部横枠体１２）と建物躯体（例えば、後述の建物躯体１００）の外窓（例えば、後述の外窓１０１）との間を窓額縁部材（例えば、後述の窓額縁部材７）で接続し、前記窓枠体に前記窓額縁部材に設けられた外周フランジ部（例えば、後述の外周フランジ部７２）を室内側から固定した後、前記外周フランジ部を覆うように化粧カバーを取り付ける浴室窓の施工方法であって、前記化粧カバーとして（１）〜（３）のいずれかに記載の浴室窓用窓額縁部材の化粧カバーを用い、前記外周フランジ部に隣接する浴室内構造体（例えば、後述の天井パネル４）と前記窓額縁部材との間の距離（例えば、後述の距離Ｄ１）に応じて、前記化粧カバーの幅を調整し、幅が調整された後の前記化粧カバーを、前記外周フランジ部に取り付けるものである。
【００１４】
（５）  （４）に記載の浴室窓の施工方法において、前記窓額縁部材の前記外周フランジ部のうちの下部外周フランジ部（例えば、後述の下部外周フランジ部７２２）を、前記窓枠体を構成する下部横枠体（例えば、後述の下部横枠体１２）に対して位置合わせして固定し、前記外周フランジ部のうちの上部外周フランジ部（例えば、後述の上部外周フランジ部７２１）に隣接する前記浴室内構造体と前記窓額縁部材との間の距離に応じて、前記化粧カバーの幅を調整し、幅が調整された後の前記化粧カバーを、前記上部外周フランジ部に取り付けるものであってもよい。
【発明の効果】
【００１５】
本発明によれば、窓額縁部材を取り付ける壁面に壁パネルが存在しない場合でも、窓額縁部材の周囲に隙間を発生させず、見栄えが良好な浴室窓構造を構築することができる浴室窓用窓額縁部材の化粧カバーを提供することができる。
また、本発明によれば、窓額縁部材を取り付ける壁面に壁パネルが存在しない場合でも、窓額縁部材の周囲に隙間を発生させず、見栄えが良好な浴室窓構造を構築することができる浴室窓の施工方法を提供することができる。
【図面の簡単な説明】
【００１６】
【図１】本発明に係る浴室窓用窓額縁部材の化粧カバーが適用された浴室の内部を示す図である。
【図２】窓額縁部材の構成を示す斜視図である。
【図３】本発明に係る浴室窓用窓額縁部材の化粧カバーが適用された浴室窓構造の断面図である。
【図４】図３に示す浴室窓構造における窓額縁部材の下部外周フランジ部の周囲を拡大して示す断面図である。
【図５】図３に示す浴室窓構造における窓額縁部材の上部外周フランジ部の周囲を拡大して示す断面図である。
【図６】図３、図４に示す下部外周フランジ部に取り付けられる化粧カバーを拡大して示す断面図である。
【図７】図３、図５に示す上部外周フランジ部に取り付けられる化粧カバーを拡大して示す断面図である。
【図８】本発明の他の実施形態における窓額縁部材の上部外周フランジ部の周囲を拡大して示す断面図である。
【図９】本発明の更に他の実施形態における窓額縁部材の上部外周フランジ部の周囲を拡大して示す断面図である。
【発明を実施するための形態】
【００１７】
以下、本発明の実施形態について図面を参照して説明する。
図１は、本発明に係る浴室窓用窓額縁部材の化粧カバーが適用された浴室の内部を示す図である。図２は、窓額縁部材の構成を示す斜視図である。図３は、本発明に係る浴室窓用窓額縁部材の化粧カバーが適用された浴室窓構造の断面図である。図４は、図３に示す浴室窓構造における窓額縁部材の下部外周フランジ部の周囲を拡大して示す断面図である。図５は、図３に示す浴室窓構造における窓額縁部材の上部外周フランジ部の周囲を拡大して示す断面図である。
【００１８】
浴室ユニット１は、図１中の左右に見える壁パネル２、２と、床パネル３と、天井パネル４と、浴槽５とを有する。浴槽５は、左右の壁パネル２、２間に亘って設置され、この浴槽５の奥に、浴室窓６が配置されている。
【００１９】
本実施形態に示す浴室窓６は、浴槽５の奥の壁面の上下端目一杯まで達するような大開口の浴室窓であり、建物躯体１００の外窓１０１によって構成される。具体的には、浴室窓６は、外窓１０１と浴室ユニット１の窓用開口部１３を構成する窓枠体（後述する上部横枠体１１、下部横枠体１２等）との間が窓額縁部材７によって水密的に接続されることによって構成される。なお、窓額縁部材７が取り付けられる壁面には、窓額縁部材７に連続する壁パネルは存在しておらず、窓額縁部材７の上側は天井パネル４と隣接し、下側は浴槽５と隣接している。また、窓額縁部材７の左右はそれぞれ壁パネル２、２と隣接している。これら天井パネル４、浴槽５、壁パネル２、２は、本発明における「浴室内構造体」に相当する。
【００２０】
窓額縁部材７は、図２に示すように、額縁部７１と、この額縁部７１の一方の周縁に、外側に張り出すように形成された外周フランジ部７２とを有している。額縁部７１は、上部額縁部７１１と、下部額縁部７１２と、左右の側部額縁部７１３、７１４とによって矩形筒状に形成され、外窓１０１に繋がる矩形状の開口枠７０を形成している。また、外周フランジ部７２は、上部外周フランジ部７２１と、下部外周フランジ部７２２と、左右の側部外周フランジ部７２３、７２４とによって矩形枠状に形成されている。
【００２１】
外周フランジ部７２は、全周に亘って同幅に形成されている。外周フランジ部７２の外周側と内周側には、後述する化粧カバーを取り付けるための一対の取付けリブ７３、７３が平行に形成されている。また、外周フランジ部７２は、固定用のネジを挿通させるための複数のネジ穴７４を有している。
【００２２】
窓額縁部材７の上部外周フランジ部７２１及び下部外周フランジ部７２２は、図３〜図５に示すように、浴室ユニット１の窓用開口部１３を構成する窓枠体のうちの上部横枠体１１及び下部横枠体１２に浴室内側から当接し、それぞれ取付けネジ１４、１５によって固定されている。窓額縁部材７の左右の側部外周フランジ部７２３、７２４は、図示しないが、同様にして、窓枠体のうちの左右の縦枠体に浴室内側から当接し、取付けネジによって固定される。なお、窓枠体は浴室ユニット１の主枠体と兼用されていてもよい。
【００２３】
窓額縁部材７の額縁部７１は、図３に示すように、浴室ユニット１の外部に突出し、外窓１０１の内側窓額縁１０２の外側に嵌合している。そして、額縁部７１は、内側窓額縁１０２と共に取付けネジ１０３によって建物躯体１００に固定されている。
【００２４】
外周フランジ部７２には、この外周フランジ部７２を覆うように、取付けネジ１４、１５等を隠すための樹脂製の化粧カバーが、浴室内側から取り付けられている。図３〜図５では、下部外周フランジ部７２２に取り付けられた化粧カバー８と、上部外周フランジ部７２１に取り付けられた化粧カバー９のみを示すが、左右の側部外周フランジ部７２３、７２４にも同様に化粧カバーが取り付けられる。
【００２５】
ここで、化粧カバー８、９について更に詳細に説明する。
図６は、図３、図４に示す下部外周フランジ部７２２に取り付けられた化粧カバー８を拡大して示す断面図である。
化粧カバー８は、外周フランジ部７２の幅に対応して形成された従来品である。化粧カバー８は、平板状の化粧カバー本体８１の長さ方向に亘って、外周フランジ部７２の一対の取付けリブ７３、７３と係合可能な一対の係合用リブ８２、８２と、１つの外縁リブ８３とを有している。一対の係合用リブ８２、８２のうちの一方と外縁リブ８３は、化粧カバー本体８１の幅方向（図６に示す上下方向）の両端部に配置されている。
【００２６】
化粧カバー８は、一対の係合用リブ８２、８２が窓額縁部材７の下部外周フランジ部７２２の一対の取付けリブ７３、７３と係合することによって取り付けられる。このとき、化粧カバー８の外縁リブ８３は、下部横枠体１２と浴槽５のフランジ部５１との間に設けられた浴槽取付け部材５２の上面に当接又は近接している。浴槽取付け部材５２は、ボルト５３によって浴槽５のフランジ部５１に固定されている。図４に示すように、外縁リブ８３と浴槽５のフランジ部５１との間にはシール材Ｓ１が塗布、充填され、止水と同時に浴槽取付け部材５２を浴室内側から目視されないように遮蔽している。
【００２７】
図７は、図３、図５に示す上部外周フランジ部７２１に取り付けられた化粧カバー９を拡大して示す断面図である。
化粧カバー９は、上記の従来品である化粧カバー８とは異なり、窓額縁部材７の外周フランジ部７２よりも幅広に形成され、幅調整可能な構成を有するものである。具体的には、化粧カバー９は、平板状の化粧カバー本体９１と、この化粧カバー本体９１に一体に連接され、化粧カバー本体９１の幅方向に大きくはみ出す幅延長部９２とを有している。
【００２８】
また、化粧カバー本体９１は、化粧カバー９の長さ方向に亘って、外周フランジ部７２の一対の取付けリブ７３、７３と係合可能な一対の係合用リブ９３、９３と、第１外縁リブ９４とを有している。一対の係合用リブ９３、９３のうちの一方（幅延長部９２から遠い方の係合用リブ９３）と第１外縁リブ９４は、化粧カバー本体９１の幅方向（図７に示す上下方向）の両端部に配置されている。
【００２９】
幅延長部９２には、化粧カバー９の長さ方向に沿って延びる複数の切断誘導部９２１、９２２、９２３が、幅方向に間隔をおいて形成されている。切断誘導部９２１、９２２、９２３は、カッター等の切断工具を用いて幅延長部９２が切断加工される際の切断動作を円滑に誘導する機能を有する。この化粧カバー９は、いずれかの切断誘導部９２１、９２２、９２３の部位によって幅延長部９２が切断、除去されることにより、幅を調整することができるようになっている。
【００３０】
本実施形態に示す化粧カバー９は３つの切断誘導部９２１、９２２、９２３を有しているが、切断誘導部の数は複数であればよく、３つに限定されない。また、複数の切断誘導部の間隔も任意であり、均一の間隔であってもよいし、不均一の間隔であってもよい。
【００３１】
幅延長部９２の裏面には、化粧カバー９の長さ方向に沿って延びる複数のリブ９５、９６、９７が、幅方向に間隔をおいて更に形成されている。リブ９５は、幅延長部９２が切断誘導部９２２の部位で、カットラインＣ２に沿って切断された場合に、化粧カバー９の最も外側（天井パネル４側）に配置される外縁リブとなる部位である（以下、第２外縁リブ９５という。）。リブ９６は、幅延長部９２が切断誘導部９２３の部位で、カットラインＣ３に沿って切断された場合に、化粧カバー９の最も外側に配置される外縁リブとなる部位である（以下、第３外縁リブ９６という。）。リブ９７は、幅延長部９２が全く切断されなかった場合に、化粧カバー９の最も外側に配置される外縁リブとなる部位である（以下、第４外縁リブ９７という。）。なお、幅延長部９２が切断誘導部９２１の部位でカットラインＣ１に沿って切断された場合は、化粧カバー本体９１の第１外縁リブ９４が最も外側に配置される。
【００３２】
本実施形態に示す化粧カバー９の切断誘導部９２１、９２２、９２３は、第１外縁リブ９４、第２外縁リブ９５及び第３外縁リブ９６のそれぞれの付け根部となっている。具体的には、切断誘導部９２１、９２２、９２３は、第１外縁リブ９４、第２外縁リブ９５及び第３外縁リブ９６における化粧カバー本体９１から遠い側の付け根部となっている。これにより、カットラインＣ１、Ｃ２、Ｃ３に沿って切断誘導部９２１、９２２、９２３の部位を切断する際、各外縁リブ９４、９５、９６を切断ガイドとして直線的に切断することができる。従って、この化粧カバー９は、別途の定規等の切断補助具を用いることなく、現場で容易に切断加工を行うことができる。
【００３３】
また、切断誘導部９２１、９２２、９２３が、各外縁リブ９４、９５、９６における化粧カバー本体９１から遠い側の付け根部に設けられることにより、切断後に、必ずいずれかの外縁リブ９４、９５、９６を化粧カバー９の最も外側に残存させることができる。即ち、この化粧カバー９は、どの切断誘導部９２１、９２２、９２３の部位で幅延長部９２を切断しても、最も外側に外縁リブを備えることができる。化粧カバーの外縁リブは、壁面に当接して又は近接して配置され、隙間に塗布、充填されたシール材を、壁面と外縁リブとによる面と面の間で保持し、確実な止水を確保するために必要なリブである。このため、この化粧カバー９は、幅調整後であっても、塗布、充填されたシール材を、化粧カバー９の裏側に脱落させることなく、壁面と外縁リブとによる面と面の間で安定的に保持することができる。
【００３４】
ここで、本実施形態に示す窓額縁部材７において、図５に示す窓額縁部材７の開口枠７０と天井パネル４との間（上部額縁部７１１の内面と天井パネル４の表面との間）の距離Ｄ１が、図４に示す窓額縁部材７の開口枠７０と浴槽５のフランジ部５１との間（下部額縁部７１２の内面と浴槽５のフランジ部５１の上面との間）の距離Ｄ２よりも大きくなっている。このため、図３、図５に示す化粧カバー９は、この距離Ｄ１に応じて、図７に示す切断誘導部９２２の部位がカットラインＣ２に沿って切断され、化粧カバー９の幅が調整されている。
【００３５】
幅調整後の化粧カバー９は、一対の係合用リブ９３、９３が窓額縁部材７の上部外周フランジ部７２１の一対の取付けリブ７３、７３と係合することによって取り付けられる。このとき、第２外縁リブ９５は、化粧カバー９の最も外側の外縁リブとなり、天井パネル４の表面に当接又は近接するように配置される。これにより、窓額縁部材７の上部外周フランジ部７２１と、この上部外周フランジ部７２１と天井パネル４との間に露出する上部横枠体１１とが化粧カバー９によって完全に覆われ、浴室内側から上部外周フランジ部７２１の外側の上部横枠体１１が目視されることはない。従って、この化粧カバー９を使用することにより、窓額縁部材７の周囲に隙間を発生させず、窓額縁部材７の周囲の浴室内側からの見栄えを良好に維持することができる。
【００３６】
図５に示すように、第２外縁リブ９５と天井パネル４との間にはシール材Ｓ２が塗布、充填され、止水される。シール材Ｓ２は、天井パネル４と第２外縁リブ９５との面と面の間で保持され、脱落のおそれなく安定的に保持される。これにより、確実な止水が確保される。
【００３７】
次に、この窓額縁部材７及び化粧カバー９を使用する浴室窓の施工方法について説明する。
本発明における浴室窓の施工方法は、浴室ユニット１の窓用開口部１３を構成する窓枠体（上部横枠体１１、下部横枠体１２等）と建物躯体１００の外窓１０１との間を窓額縁部材７で接続し、浴室内側から窓枠体に窓額縁部材７の外周フランジ部７２を固定した後、外周フランジ部７２を覆うように化粧カバーを取り付けるものである。なお、窓額縁部材７の額縁部７１を建物躯体１００及び外窓１０１に対して取り付ける方法は、従来公知の方法を適用できるため、ここでは、外周フランジ部７２のうちの上部外周フランジ部７２１及び下部外周フランジ部７２２に化粧カバー８、９を取り付ける方法について説明する。
【００３８】
先ず、下部横枠体１２が下部外周フランジ部７２２で覆い隠されるように、窓額縁部材７の下部外周フランジ部７２２が下部横枠体１２に対して位置合わせされる。この状態で、上部外周フランジ部７２１及び下部外周フランジ部７２２が、上部横枠体１１及び下部横枠体１２に取付けネジ１４、１５によって固定される。下部横枠体１２を基準にして窓額縁部材７の位置合わせを行う理由は、窓額縁部材７の自重を利用できるからである。これにより、下部横枠体１２は下部外周フランジ部７２２によって覆い隠され、露出することはない。
【００３９】
一方、下部外周フランジ部７２２の位置合わせにより、上部外周フランジ部７２１と、この上部外周フランジ部７２１に隣接する天井パネル４との間には隙間が形成される。このため、上部外周フランジ部７２１の外側（天井パネル４側）に、上部横枠体１１が露出する。これは、建物躯体１００の外窓１０１と上部横枠体１１との位置ずれによって発生する。
【００４０】
窓額縁部材７が固定された後、下部外周フランジ部７２２には、図６に示す化粧カバー８がそのまま取り付けられる。即ち、化粧カバー８の一対の係合用リブ８２、８２が下部外周フランジ部７２２の取付けリブ７３、７３と係合する。その後、外縁リブ８３と浴槽５のフランジ部５１との間にシール材Ｓ１が塗布、充填される。これにより、図３、図４に示すように、化粧カバー８は、窓額縁部材７の開口枠７０と浴槽５との間に、シール材Ｓ１を介して連続した意匠面を形成し、浴室内側からの見栄えを良好にする。
【００４１】
一方、上部外周フランジ部７２１には、図７に示す化粧カバー９が使用される。化粧カバー９は、窓額縁部材７の開口枠７０と天井パネル４の表面との間の距離Ｄ１に合わせて、切断誘導部９２２の部位で、カットラインＣ２に沿って現場で切断加工され、幅調整される。これにより、第２外縁リブ９５が最も外側の外縁リブとなる化粧カバー９が得られる。
【００４２】
その後、幅調整後の化粧カバー９が上部外周フランジ部７２１に取り付けられる。即ち、化粧カバー９の一対の係合用リブ９３、９３が上部外周フランジ部７２１の取付けリブ７３、７３と係合する。化粧カバー９が上部外周フランジ部７２１に取り付けられた後、化粧カバー９の第２外縁リブ９５と天井パネル４との間にシール材Ｓ２が塗布、充填される。これにより、図３、図５に示すように、化粧カバー９は、窓額縁部材７の開口枠７０と天井パネル４との間に、シール材Ｓ２を介して連続した意匠面を形成し、浴室内側からの見栄えを良好にする。
【００４３】
従って、この施工方法によれば、窓額縁部材７の上下に壁パネルが存在しない場合でも、窓額縁部材７の周囲に隙間を発生させることはなく、現場で簡単に幅調整された化粧カバー９を使用することにより、見栄えを良好にすることができる。また、天井パネル４との間に充填されたシール材Ｓ２は、天井パネル４と第２外縁リブ９５とによる面と面の間で安定的に保持されるため、確実な止水が確保される。
【００４４】
以上の説明では、切断誘導部９２２の部位で幅延長部９２を切断加工した化粧カバー９を例示したが、上記距離Ｄ１が更に大きくなる場合は、例えば、図８に示すように、切断誘導部９２３の部位で幅延長部９２を切断加工した化粧カバー９を使用すればよい。また、上記距離Ｄ１が反対に小さくなる場合は、例えば、図９に示すように、切断誘導部９２１の部位で幅延長部９２を切断加工した化粧カバー９を使用すればよい。
【００４５】
また、化粧カバー９の切断誘導部９２１、９２２、９２３は、化粧カバー９の長さ方向に沿って延びる、例えばＶ溝等の溝状に形成してもよい。これより、幅延長部９２は、溝に沿ってより簡単に切断可能となる。この場合の切断誘導部９２１、９２２、９２３は、必ずしもリブ９４、９５、９６の付け根部に配置されていなくてもよい。
【００４６】
なお、本実施形態では、窓額縁部材７の上部外周フランジ部７２１及び下部外周フランジ部７２２に化粧カバー８、９を取り付ける場合について説明したが、本発明に係る化粧カバー及び浴室窓の施工方法は、窓額縁部材７の左右の側部外周フランジ部７２３、７２４にも同様に適用することができる。即ち、窓額縁部材７と浴室ユニット１の窓枠体の左右いずれかの縦枠体との間に位置ずれが生じる場合にも、従来品の化粧カバー８に代えて、以上説明した幅調整可能な化粧カバー９を使用することができる。
【符号の説明】
【００４７】
１  浴室ユニット
１１  上部横枠体（窓枠体）
１２  下部横枠体（窓枠体）
４  天井パネル（浴室内構造体）
６  浴室窓
７  窓額縁部材
７０  開口枠
７２  外周フランジ部
７２１  上部外周フランジ部
７２２  下部外周フランジ部
９  化粧カバー
９１  化粧カバー本体
９２  幅延長部
９２１、９２２、９２３  切断誘導部
９５  第２外縁リブ（リブ）
９６  第３外縁リブ（リブ）
９７  第４外縁リブ（リブ）
１００  建物躯体
１０１  外窓
距離Ｄ１
【図１】
2019039254.tif 000003
【図２】
2019039254.tif 000004
【図３】
2019039254.tif 000005
【図４】
2019039254.tif 000006
【図５】
2019039254.tif 000007
【図６】
2019039254.tif 000008
【図７】
2019039254.tif 000009
【図８】
2019039254.tif 000010
【図９】
2019039254.tif 000011